(57)【要約】【課題】ルアーなどの餌を、釣り針に簡単に直線状に通し刺しできるようにする。【解決手段】釣り針１に、胴４の胴長さＬ１相当分だけ針先８の先端から胴４側に向けて辿った位置に餌１１の通し量の目安となる目印１０を設けることで、通し刺しにおいて一番重要な針先８を餌１１から抜き出す位置が明確となり、該目印１０の位置で針先８を餌１１から抜き出すことで餌１１の通し量が胴長さＬ１分となるため、餌１１を直線状に刺すことができるように構成した。【選択図】図１
2013233121.tif 000002
【特許請求の範囲】
【請求項１】
釣り糸を結ぶためのチモト、該チモトから略直線状に伸びる胴、該胴の先端からカーブの略中間部位までの腰曲げ、該中間部位から先の先曲げ、該先曲げの先端に設けられる針先を備えた釣り針であって、
該釣り針には、餌の通し量の目安となる目印が設けられるものであり、
該目印は、胴の長さ相当分だけ針先の先端から胴側に向けて辿った位置を視認できるように設けられていることを特徴とする釣り針。
【請求項２】
目印は、色調を変化させることで視認できるものであることを特徴とする請求項１記載の釣り針。
【請求項３】
目印は、釣り針の変形により視認できるものであることを特徴とする請求項１または２記載の釣り針。
【請求項４】
目印は、凸状のものとして設けることで視認できるものであることを特徴とする請求項１、２または３記載の釣り針。
【発明の詳細な説明】
【技術分野】
【０００１】
本発明は、ルアー等の疑似餌やゴカイ等の生餌を用いて魚釣りをするための釣り針の技術分野に関するものである。
【背景技術】
【０００２】
図５（Ａ）に示すように、一般に、釣り針１００は、略「し」字形状をしていて、釣り糸（ライン、ハリス）を結ぶための突起部分であるチモト１０１、該チモト１０１から略直線状に伸びる胴（軸）１０２、該胴１０２の先端からカーブの略中間部位までの腰曲げ１０３、該カーブの略中間部から先の先曲げ１０４、該先曲げ１０４の先端に設けられる針先１０５、該針先１０５とは逆方向に延びる返し１０６とで構成されている。
【０００３】
そしてこのような釣り針に、ゴカイ、イソメ、オキアミ等の長い生餌や長いルアー（疑似餌、特にシリコーン樹脂等の弾力性がある材質で形成されたソフトルアー）を釣り針に刺す刺し方として、種々のものがあるが、餌の頭部分に針を通すだけの「ちょん掛け」、釣り針に複数の餌をちょん掛けで刺す「房掛け」、餌を縫うようにして釣り針に通していく「縫い刺し」がある。これら、ちょん掛け、房掛け、縫い刺しは簡単に餌を釣り針に刺すことができる方法ではあるが、餌が釣り針から外れやすかったり、魚に餌だけ奪われやすかったりするといった問題がある。
これに対し、「通し刺し」といって、釣り針を餌１０７の先端を１０５に刺し入れて先曲げ１０４、腰曲げ１０３に通した後、餌１０７を曲げて針先１０５を抜き出し、しかる後、餌１０７の先端を釣り糸が巻かれたチモト１０１位置まで引き上げることで、餌１０７の前半部を針の胴１０２に通す一方、餌１０７の後半部は釣り針１００から外すようにして餌１０７が直線状になる刺し方がある。この通し刺しは、餌が直線状になっているため餌を自然な状態に維持できるが、その反面、直線状に餌を刺すことが難しく、図５（Ｂ）に示すように曲がって刺してしまうと、特にルアー釣りをする場合のように、竿をあおると共にリールでラインの巻取り動作を繰り返し行うような場合、餌が直線状でないと餌が回転したりして不自然な動きをし、釣果が伸びないという問題がある。
ところで釣り針の胴部分に突起を設け、該突起にハリスの先端部を結びつけるようにしたものや刺した餌が釣り針から抜け戻らないようにしたものが知られている（例えば、特許文献１、２）。
【先行技術文献】
【特許文献】
【０００４】
【特許文献１】特開２００６−１２２０３２号公報
【特許文献２】特開２０００−２０１５７３号公報
【発明の概要】
【発明が解決しようとする課題】
【０００５】
しかしながら前記特許文献１、２の胴部分に設けた突起は、ハリスの先端部を通したり、釣り針に刺した餌が抜け出てしまうのを防止することを目的としたものであって、餌を直線状に釣り針に通すことを目的としたものではなく、このため釣り人は、餌を直線状に通すには、餌を釣り針に通す際、針先から通した餌の長さを勘で見極め、このあたりで針先を餌から抜き出せば餌は釣り針に直線状に付けられるだろうと作業をしていたが、釣り針に通した餌の長さを見誤って餌の長すぎた場合には餌が腰曲がり状態となり、また短すぎた場合には餌の刺し始め端がチモト部位にまで至らない状態となり、このためルアー釣りのように糸の巻取りを常に繰り返す釣りのような場合、腰曲がり部や餌先端に不用意な水圧がかかって餌が回転したりして不自然な動きをすることとなって魚の食いが渋って釣果が出ないことになり、このような餌の通し量の見誤りは初心者ほど起こしやすく、そこで、釣り人の熟練度に関わらず、誰でも餌を釣り針に直線状に通すことを簡単に行えるようにすることが求められて、ここに本発明の解決すべき課題がある。
【課題を解決するための手段】
【０００６】
本発明は、上記の如き実情に鑑みこれらの課題を解決することを目的として創作されたものであって、請求項１の発明は、釣り糸を結ぶためのチモト、該チモトから略直線状に伸びる胴、該胴の先端からカーブの略中間部位までの腰曲げ、該中間部位から先の先曲げ、該先曲げの先端に設けられる針先を備えた釣り針であって、該釣り針には、餌の通し量の目安となる目印が設けられるものであり、該目印は、胴の長さ相当分だけ針先の先端から胴側に向けて辿った位置を視認できるように設けられていることを特徴とする釣り針である。
請求項２の発明は、目印は、色調を変化させることで視認できるものであることを特徴とする請求項１記載の釣り針である。
請求項３の発明は、目印は、釣り針の変形により視認できるものであることを特徴とする請求項１または２記載の釣り針である。
請求項４の発明は、目印は、凸状のものとして設けることで視認できるものであることを特徴とする請求項１、２または３記載の釣り針である。
【発明の効果】
【０００７】
請求項１の発明とすることにより、初心者であっても簡単に餌を釣り針に直線状に通し刺しすることができる。
請求項２、３の発明とすることにより、目印をでより明確に視認することができる。
請求項４の発明とすることにより、目印を餌止めのケンに代用することができ、部品の兼用化が図れる。
【図面の簡単な説明】
【０００８】
【図１】第一の実施の形態の釣り針の正面図である。
【図２】（Ａ）〜（Ｄ）は、第一の実施の形態の釣り針を用いて餌を刺す方法を示す説明図である。
【図３】（Ａ）〜（Ｄ）は、第二の実施の形態の釣り針を用いて餌を刺す方法を示す説明図である。
【図４】（Ａ）〜（Ｅ）は、それぞれ第三〜七の実施の形態の釣り針の正面図である。
【図５】（Ａ）は一般的な釣り針の正面図、（Ｂ）は一般的なの釣り針を用いて餌を刺した場合を示す説明図である。
【発明を実施するための形態】
【０００９】
本発明の第一の実施の形態について、図面を基に説明する。図１において、１は釣り針であって、該釣り針１は、ルアー釣り用のものであり、半紡錘形状の錘２付きチモト３、胴（直線部分）４、該胴４のチモト側部位に突出状に設けられるケン５、腰曲げ６、先曲げ７、針先８、返し９を備えたものであるが、これは従来の構成と同じであるので説明を省略する。尚、錘２にハリスを結びつけるためのリング２ａが設けられている。
そして、該釣り針１は胴の長さがＬ１のものであり、針先８の先端から該胴４側に向けて前記長さＬ１分だけ辿った位置に、餌の通し料の目安となるリング状の目印１０が設けられている。本第一の実施の形態において、該目印１０は例えば焼付け塗装により設けられていて、該目印１０と目印１０の前後の部分とで色調が変化するため、該目印が視認できるものである。
【００１０】
次に、この釣り針１を用いて餌１１を通し刺しする方法について図２に基づいて説明する。
まず、餌１１は疑似餌（ソフトルアー、ワーム）であってシリコーン樹脂等の弾力性がある材質で長尺状に形成されたものであって、その先端１１ａを針先８に刺し（図２（Ａ））、前記目印１０を視認しながら、該目印１０に餌先端１１ａが至るまで釣り針１を通していく（図２（Ｂ））。そして、餌先端１１ａが目印１０の位置に至ったところで、餌１１の中間部分１１ｂを胴４とは反対方向へ折り曲げて、針先８を餌１１から抜き出して突出させる（図２（Ｃ））。その後、この突出した針刺し状態で、餌１１を、先端１１ａがチモト３端（錘２の下端であって胴４の上端）に至るまで移動させる（図２（Ｄ））。このようにすることで、餌１１の通し量は、胴４の長さＬ１分となるため、餌１１の先端がチモト３の下端位置に至った状態で、餌１１が胴４の全長に亘ってのみ刺し通された状態となって直線状の針刺しができることになる。
【００１１】
叙述の如く構成された本発明の実施の形態において、餌の通し量の目安となる目印１０を、針先８から胴長さＬ１相当分だけ辿った位置に設けることで、通し刺しにおいて一番重要な針先８を餌１１から抜き出す位置、つまり、餌１１の通し量が明確となって、初心者であっても餌１１が針（腰曲げ６、先曲げ７）のカーブに沿って曲がってしまうことがなく、容易に略直線状の針刺しをすることができ、例えばルアー釣りのように糸の巻取りを常に繰り返した場合でも、餌１１がまるで活き活きと泳いでいるように動くため、魚の食いつきの向上が期待できる。
【００１２】
なお、図３に示す第二の実施の形態のように、釣り針２０に錘がなく、胴２１のチモト２２側端にハリス２３を結びつけるものである場合、ハリス２３の結び付け分を予め見越して目印を前記実施の形態のものより針先側に移動して設けることもできるが、ハリスの結び付け量は、ハリスの太さ、巻き付け量によって微妙に変化するものであり、そこで目印２４位置は、前記第一の実施の形態と同じように、針先２５から胴２１の長さＬ２分の位置とし、餌２６を付けるとき、ハリス２３の巻き付け量Ｌ２’だけ目印２４から針先２６側にずらした位置において餌２６から針先２５を抜き出せばよいことになり、種々のハリスの結び量に対応することができる。
【００１３】
本発明は前記第一の実施の形態のものに限定されないことは勿論であって、図４に示す第三〜第六の実施の形態のようにすることもできる。なお、釣り針の構成や餌は前記第一の実施の形態のものと同じであるので詳細な説明は省略する。
図４（Ａ）に示す第三の実施の形態の釣り針３０は、針先３１の先端から胴３２の胴長さＬ３分だけ辿った位置に、釣り針３０を変形加工してフラット部３３を形成し、該フラット部３３に凸状部３４を形成したものであって、該フラット部３３、特に該凸状部３４が餌の通し料の目安となる目印３５の役割を果たしている。。
このように構成することで、該目印３５の位置まで餌を通していく際、目印３５を目で視認することができるだけでなく、手の感覚（触覚）でも分かることになって、より明確に認識することができると共に、フラット部３３が餌の抜止め機能を発揮することができる。
【００１４】
また、図４（Ｂ）に示す第四の実施の形態のものは、釣り針４０の胴４１の胴長さがＬ４のものであり、針先４２の先端から該胴４１側に向けて前記長さＬ５分だけ辿った位置に至るまで、焼付け塗装等によって着色が施されたものであって、該着色された着色部位４３と着色されていない否着色部位４４との境界４５が餌の通し量の目安である目印として機能することになる。
そして、このように構成することで、簡単に直線状の通し刺しができることは勿論、釣り針４１のうち、餌が通らず露出している部位が着色部位４３となっているため、魚に対して集魚機能を発揮することができ、さらなる釣果の増大を期待することができる。
なお、この着色は一色に限らず二色以上にしたり、模様を付けても良い。
【００１５】
さらにまた、図４（Ｃ）に示す第五の実施の形態のものは、釣り針５０の胴５１の胴長さＬ５が、針先から腰曲げまでの長さに対して比較的長いものとして構成されたものであって、この場合、針先５２から胴長さＬ６だけ辿った部位が胴５１の略中間部に位置することになるが、この部位に付する目印５３を突出した形状（凸状）のものとすることで、該目印５３を餌が落ちたり滑ったりするのを防ぐ（餌止めをする）ケンに代用することができる。
【００１６】
さらに、図４（Ｄ）に示す第六の実施の形態のものは、釣り針６０の胴６１の胴長さがＬ６のものであり、針先６２の先端から該胴６１側に向けて前記長さＬ６分だけ辿った位置に至るまで、針の側面を叩いて平らにする平打ち加工を施すことで釣り針を変形したものであって、該平打ち部位６３と平打ちされていない部位６４との境界６５が餌の通し量の目印として機能することになる。また、目印（境界６５）の前後で色調が変化するため、目印をより視認しやすいものとすることができる。
そして、このように構成することで、簡単に直線状の通し刺しができることは勿論、平打ち加工を施すことで魚の引きに対する縦方向の強度をアップさせることができる。また、釣り針のうち、餌が通らず露出している部位である平打ち部位６３が水中でキラキラ反射して集魚機能を発揮することができ、さらなる釣果の増大を期待することもできる。
また、本第六の実施の形態とは逆に、針先の先端から胴側に向けて胴の長さ分だけ辿った位置に至る部分には加工を施さず、該辿った位置からチモトに部分に平打ち加工を施すようにすることもできる。
【００１７】
さらに、図４（Ｅ）に示す第七の実施の形態のものは、釣り針７０の胴７１の胴長さがＬ７のものであり、針先７２の先端から該胴７１側に向けて前記長さＬ７分だけ辿った位置に目印７３として糸等を巻きつけて接着剤等で固着したものである。
このように構成することで、該目印７３が餌の通し量の目安となって該目印を視認しながら簡単に通し刺しできるようになるだけでなく、該目印７３は釣り針７０に対して凸状のものとなっているため、餌の滑り止めのケンの機能を果たすことができる。
【００１８】
このように、目印は、針先の先端から胴側に向けて、釣り針の胴長さ分だけ辿った位置が明確になるように設けるものであって、その構成は本第一〜第七の実施の形態のものに限定されないものであることは勿論であって、例えば、前記第一〜第七の実施の形態のもののうち二つ以上を適宜組み合わせてもよく、該目印を設けることで、餌の通し量が明確となって、初心者であっても該目印を視認しながら容易に通し刺しすることができる。
【産業上の利用可能性】
【００１９】
本発明は、生餌やルアーを通し刺しにして真っ直ぐ刺すための釣り針の分野に利用することができる。
【符号の説明】
【００２０】
１    釣り針
３    チモト
４    胴
８    針先
１０    目印
１１    餌
１１ａ  餌先端
１１ｂ  餌中間部分
Ｌ１    胴長さ
【図１】
2013233121.tif 000003
【図２】
2013233121.tif 000004
【図３】
2013233121.tif 000005
【図４】
2013233121.tif 000006
【図５】
2013233121.tif 000007